【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
ユーザに装着された動きセンサから得られた動きデータまたは前記ユーザに装着された血圧センサに含まれる圧力センサアレイから得られた圧力センサデータの単位期間における統計値である体動指標を算出する体動指標算出部と、
前記体動指標に基づいて前記単位期間における前記ユーザの体動強度が第１のレベルおよび第２のレベルを含む複数のレベルのいずれに相当するかを判定する体動強度判定部と、
前記体動強度が前記第１のレベルと判定されれば前記単位期間において前記ユーザから得られた血圧データに対してノイズ低減処理に相当する第１のデータ処理を施し、前記体動強度が前記第２のレベルと判定されれば前記血圧データに対してノイズ低減処理に相当する第２のデータ処理を施し、前記体動強度が前記第１のレベルに満たないと判定されれば前記血圧データをパススルーする血圧データ処理部と
を具備する、血圧データ処理装置。
【請求項２】
前記体動強度判定部は、前記体動指標が第１の閾値以上であって前記第１の閾値よりも大きな第２の閾値未満であれば前記体動強度が前記第１のレベルであると判定し、前記体動指標が前記第２の閾値以上であれば前記体動強度が前記第２のレベルであると判定する、請求項１に記載の血圧データ処理装置。
【請求項３】
前記第１のデータ処理は、前記単位期間を包含する第１の期間の血圧データを平滑化する処理であり、
前記第２のデータ処理は、前記単位期間を包含する第２の期間の血圧データを前記第２の期間の前後の血圧データに基づいて補間生成した血圧データによって置換する処理である、
請求項２に記載の血圧データ処理装置。
【請求項４】
前記第１の閾値および前記第２の閾値は、前記ユーザまたは他のユーザに装着された動きセンサから得られた動きデータまたは血圧センサに含まれる圧力センサアレイから得られた圧力センサデータに基づいて算出された体動指標の分布に基づいて定められる、請求項２に記載の血圧データ処理装置。
【請求項５】
前記第２の閾値は、前記分布から統計的に算出される正常値の上限以上となるように定められる、請求項４に記載の血圧データ処理装置。
【請求項６】
前記第１の閾値および前記第２の閾値は、前記ユーザの属性または血圧の測定環境の属性に基づいて定められる、請求項２に記載の血圧データ処理装置。
【請求項７】
前記体動強度判定部は、前記体動強度が前記第２のレベルであると判定する場合には、前記体動強度が前記第２のレベルと判定されている継続時間が第３の閾値より長いか否かをさらに判定し、
前記血圧データ処理部は、前記体動強度が前記第２のレベルと判定され、かつ、前記継続時間が前記第３の閾値以下と判定されれば前記血圧データに対して前記第２のデータ処理を施し、前記体動強度が前記第２のレベルと判定され、かつ、前記継続時間が前記第３の閾値より長いと判定されれば前記血圧データに対して第３のデータ処理を施す、
請求項２に記載の血圧データ処理装置。
【請求項８】
前記第２のデータ処理は、前記血圧データを前記単位期間の前後の血圧データに基づいて補間生成したデータによって置換する処理であり、
前記第３のデータ処理は、前記継続時間に亘る血圧データを破棄する処理である、
請求項７に記載の血圧データ処理装置。
【請求項９】
前記単位期間は、拍動の１周期または複数周期に略一致するように定められる、請求項１に記載の血圧データ処理装置。
【請求項１０】
前記血圧センサは、トノメトリ方式の血圧センサである、請求項１に記載の血圧データ処理装置。
【請求項１１】
前記体動指標算出部は、複数の体動指標を算出し、
前記体動強度判定部は、前記複数の体動指標に基づいて前記単位期間における前記ユーザの体動強度が前記複数のレベルのいずれに相当するかを判定する、
請求項１に記載の血圧データ処理装置。
【請求項１２】
ユーザに装着された動きセンサから得られた動きデータまたは前記ユーザに装着された血圧センサに含まれる圧力センサアレイから得られた圧力センサデータの単位期間における統計値である体動指標を算出することと、
前記体動指標に基づいて前記単位期間における前記ユーザの体動強度が第１のレベルおよび第２のレベルを含む複数のレベルのいずれに相当するかを判定することと、
前記体動強度が前記第１のレベルと判定されれば前記単位期間において前記ユーザから得られた血圧データに対してノイズ低減処理に相当する第１のデータ処理を施し、前記体動強度が前記第２のレベルと判定されれば前記血圧データに対してノイズ低減処理に相当する第２のデータ処理を施し、前記体動強度が前記第１のレベルに満たないと判定されれば前記血圧データをパススルーすることと
を具備する、血圧データ処理方法。
【請求項１３】
コンピュータを請求項１に記載の血圧データ処理装置として機能させるための血圧データ処理プログラム。
【請求項１４】
ユーザに装着された動きセンサから得られた動きデータまたは前記ユーザに装着された血圧センサに含まれる圧力センサアレイから得られた圧力センサデータの単位期間における統計値である体動指標を算出する体動指標算出部と、
前記体動指標に基づいて前記単位期間における前記ユーザの体動強度が第１のレベルおよび第２のレベルを含む複数のレベルのいずれに
相当するかを判定する体動強度判定部と、
前記体動強度が前記第１のレベルと判定されれば前記単位期間において前記ユーザから得られた血圧データに対して第１のデータ処理を施し、前記体動強度が前記第２のレベルと判定されれば前記血圧データに対して第２のデータ処理を施す血圧データ処理部と
を具備し、
前記体動強度判定部は、前記体動指標が第１の閾値以上であって前記第１の閾値よりも大きな第２の閾値未満であれば前記体動強度が前記第１のレベルであると判定し、前記体動指標が前記第２の閾値以上であれば前記体動強度が前記第２のレベルであると判定し、
前記第１の閾値および前記第２の閾値は、前記ユーザの属性または血圧の測定環境の属性に基づいて定められる、
血圧データ処理装置。
【請求項１５】
ユーザに装着された動きセンサから得られた動きデータまたは前記ユーザに装着された血圧センサに含まれる圧力センサアレイから得られた圧力センサデータの単位期間における統計値である体動指標を算出する体動指標算出部と、
前記体動指標に基づいて前記単位期間における前記ユーザの体動強度が第１のレベルおよび第２のレベルを含む複数のレベルのいずれに相当するかを判定する体動強度判定部と、
前記体動強度が前記第１のレベルと判定されれば前記単位期間において前記ユーザから得られた血圧データに対して第１のデータ処理を施し、前記体動強度が前記第２のレベルと判定されれば前記血圧データに対して第２のデータ処理を施す血圧データ処理部と
を具備し、
前記体動強度判定部は、前記体動指標が第１の閾値以上であって前記第１の閾値よりも大きな第２の閾値未満であれば前記体動強度が前記第１のレベルであると判定し、前記体動指標が前記第２の閾値以上 
であれば前記体動強度が前記第２のレベルであると判定し、
前記体動強度判定部は、前記体動強度が前記第２のレベルであると判定する場合には、前記体動強度が前記第２のレベルと判定されている継続時間が第３の閾値より長いか否かをさらに判定し、
前記血圧データ処理部は、前記体動強度が前記第２のレベルと判定され、かつ、前記継続時間が前記第３の閾値以下と判定されれば前記血圧データに対して前記第２のデータ処理を施し、前記体動強度が前記第２のレベルと判定され、かつ、前記継続時間が前記第３の閾値より長いと判定されれば前記血圧データに対して第３のデータ処理を施す、
血圧データ処理装置。
【請求項１６】
前記第２のデータ処理は、前記血圧データを前記単位期間の前後の血圧データに基づいて補間生成したデータによって置換する処理であり、
前記第３のデータ処理は、前記継続時間に亘る血圧データを破棄する処理である、
請求項１５に記載の血圧データ処理装置。
【手続補正２】
【補正対象書類名】明細書
【補正対象項目名】００４１
【補正方法】変更
【補正の内容】
【００４１】
なお、体動指標算出部１０３が複数の体動指標を算出する場合には、体動強度判定部１０４は、基準値以上であった体動指標の数または割合に基づいて体動強度を判定してもよい。基準値は体動指標毎に定められてもよいし、体動指標を正規化すれば共通の基準値を用いることもできる。
【手続補正３】
【補正対象書類名】明細書
【補正対象項目名】００４５
【補正方法】変更
【補正の内容】
【００４５】
第１のデータ処理部１１１は、体動強度が第１のレベル（値「１」）と判定された単位期間の血圧データに対して第１のデータ処理を施す。なお、第１のデータ処理部１１１は、かかる単位期間の周辺（例えば±ｎ拍、ｎは任意の数値）の血圧データも含めて第１のデータ処理を施してよい。第１のデータ処理を施す期間は可変であってよい。第１のデータ処理は、例えば、対象の血圧データを平滑化する処理である。平滑化には、例えば移動平均などの平滑化法が用いられてよい。かかる第１のデータ処理によれば、血圧データの基本的な変動成分を維持しながら血圧に影響の小さい（高周波）ノイズを抑制することができる。
【手続補正４】
【補正対象書類名】明細書
【補正対象項目名】００５４
【補正方法】変更
【補正の内容】
【００５４】
ステップＳ２０４において、第１のデータ処理部１１１は、単位期間の血圧データに対して前述の第１のデータ処理を施す。ステップＳ２０５において、第２のデータ処理部１１２は、単位期間の血圧データに対して前述の第２のデータ処理を施す。